(57)【要約】【課題】小型化するとともに、コストを低減する。【解決手段】被写体を複数の撮像モードで撮像する撮像装置１６である。複数の撮像モードのうち、いずれか二つの撮像モードの各々に対応して設けられた第一及び第二光学部材３１、３２を備える。これら光学部材のうち選択された何れか一方の光学部材を通過した光を基板ＰＣに配設された撮像素子２２に導く導光機構４を備える。【選択図】        図３
2004279505.tif 000002
【特許請求の範囲】
【請求項１】
被写体を複数の撮像モードで撮像する撮像装置であって、
基板に配設された撮像素子と、前記複数の撮像モードのうち、いずれか二つの撮像モードの各々に対応して設けられた二つの光学部材と、前記二つの光学部材のうち選択された何れか一方の光学部材を通過した光を前記撮像素子に導く導光機構とを備えることを特徴とする撮像装置。
【請求項２】
請求項１に記載の撮像装置において、
前記二つの光学部材は、各光学部材の通過光の光軸どうしが略直交するように配置され、
前記導光機構は、前記二つの光学部材の前記光軸どうしが交わる位置にて、各光軸に対し略４５度傾斜して配置されたハーフミラーを備えて構成されていることを特徴とする撮像装置。
【請求項３】
請求項１又は２に記載の撮像装置において、
前記導光機構は、前記二つの光学部材のうち、いずれか一方の光学部材を用いた前記被写体の撮像時に、他方の光学部材のレンズ部に入射する光を遮光する遮光機構を備えて構成されていることを特徴とする撮像装置。
【請求項４】
請求項３に記載の撮像装置において、
前記遮光機構は、操作スイッチと、前記操作スイッチに接続され、且つ、前記二つの光学部材の各レンズ部を被覆自在となるように形成されるとともに、前記レンズ部の各々に対応して設けられた二つの開口部を有し移動する被覆部材とを備え、
前記被覆部材は、前記操作スイッチの操作に基づき移動して、前記二つの光学部材のうち、いずれか一方の光学部材を用いた前記被写体の撮像時に、前記一方の光学部材の前記レンズ部に対応する前記開口部を介して前記レンズ部を露出させるとともに、他方の光学部材の前記レンズ部を被覆するように構成されていることを特徴とする撮像装置。
【請求項５】
請求項４に記載の撮像装置において、
前記遮光機構は、前記被覆部材の移動を案内する案内部材を備え、
前記被覆部材は、前記案内部材の案内経路に沿って変形自在であることを特徴とする撮像装置。
【請求項６】
請求項１〜５のいずれか一項に記載の撮像装置を備えることを特徴とする携帯端末。
【発明の詳細な説明】
【０００１】
【発明の属する技術分野】
本発明は、撮像モードを切り換えて被写体の撮像を行う撮像装置及び携帯端末に関する。
【０００２】
【従来の技術】
近年、携帯電話機等の携帯端末は急速に普及しつつあり、携帯端末の中には撮像装置を搭載したものも開発されている。
携帯端末に搭載される撮像装置は、スペースの制約上、小型である必要があるが、ユーザからは高性能のものが求められている。具体的に、撮像装置は、例えば、ポートレートなどの通常の被写体を撮像するための通常撮像モード、名刺や二次元コードなどの小さなサイズの被写体を拡大して撮像するためのマクロ撮像モード等を備えることが求められてきている。
【０００３】
また、撮像装置は、一般的に、基板に配設された撮像素子と、撮像素子に集光させるための光学部材とを備えて構成されており、このような撮像装置としては、携帯機器用カメラが知られている（例えば、特許文献１参照。）。
【０００４】
【特許文献１】
特開２００２−３７４４３９号公報
【０００５】
【発明が解決しようとする課題】
ところで、携帯端末に例えば通常撮像モードとマクロ撮像モードの双方の機能を具備させるためには、上記特許文献１の携帯機器用カメラ等の撮像装置を２つ、すなわち撮像素子と光学部材を２つずつ搭載する必要がある。この場合には、携帯端末が大型化し、ユーザにとって利便性の良い携帯端末の提供が困難となるだけでなく、撮像モードの数に応じて撮像素子を備える必要があるため、携帯端末のコスト高を招き、携帯端末をユーザに安価に提供することが困難となる。
【０００６】
本発明の課題は、被写体を少なくとも二つの撮像モードで撮像する撮像装置であって、小型化することができるとともに、コストを低減することができる撮像装置及びこれを備えた携帯端末を提供することである。
【０００７】
【課題を解決するための手段】
請求項１に記載の発明は、
被写体を複数の撮像モードで撮像する撮像装置であって、
基板に配設された撮像素子と、前記複数の撮像モードのうち、いずれか二つの撮像モードの各々に対応して設けられた二つの光学部材と、前記二つの光学部材のうち選択された何れか一方の光学部材を通過した光を前記撮像素子に導く導光機構とを備えることを特徴としている。
【０００８】
請求項１に記載の発明によれば、複数の撮像モードのうち、いずれか二つの撮像モードの各々に対応して設けられた二つの光学部材と、二つの光学部材のうち選択された何れか一方の光学部材を通過した光を撮像素子に導く導光機構とを備えているので、二つの光学部材は一つの撮像素子を共有できる。すなわち、被写体を少なくとも二つの撮像モードで撮像する撮像装置であっても、光学部材二つに対して同数の撮像素子を必要としないので、撮像装置を小型化することができる。
また、価格の高い撮像素子の数を減少させることができるので、撮像装置のコストを低減することができる。
【０００９】
請求項２に記載の発明は、請求項１に記載の撮像装置において、
前記二つの光学部材は、各光学部材の通過光の光軸どうしが略直交するように配置され、
前記導光機構は、前記二つの光学部材の前記光軸どうしが交わる位置にて、各光軸に対し略４５度傾斜して配置されたハーフミラーを備えて構成されていることを特徴としている。
【００１０】
請求項２に記載の発明によれば、請求項１に記載の発明と同等の効果が得られるのは無論のこと、導光機構は、ハーフミラーを備えて構成されているので、二つの光学部材のうち、一方の光学部材を通過した光はハーフミラーを通過して撮像素子に導かれるとともに、他方の光学部材を通過した光はハーフミラーにて反射して前記したものと同一の撮像素子に導かれる。このように、撮像素子一つが光学部材二つによって共有されることとなる。
また、ハーフミラーは、撮像素子に比べて安価とされるため、撮像素子を光学部材と同数設ける場合に比べて、撮像装置の製造にかかるコストの上昇を抑制することができる。
さらに、二つの光学部材は、各光学部材の通過光の光軸どうしが略直交するように配置されているので、略９０度異なる方向にある被写体の撮像を撮像装置の向きを変えることなく行うことができる。
【００１１】
請求項３に記載の発明は、請求項１又は２に記載の撮像装置において、
前記導光機構は、前記二つの光学部材のうち、いずれか一方の光学部材を用いた前記被写体の撮像時に、他方の光学部材のレンズ部に入射する光を遮光する遮光機構を備えて構成されていることを特徴としている。
【００１２】
請求項３に記載の発明によれば、請求項１又は２に記載の発明と同等の効果が得られるのは無論のこと、遮光機構によって、二つの光学部材のうち、いずれか一方の光学部材を用いて被写体を撮像する際に、他方の光学部材のレンズ部に入射してくる光を遮光することができる。つまり、被写体の撮像に使用しない光学部材に入射してくる光を遮光して、この光の影響を受けることなく被写体の撮像を適正に行うことができる。
【００１３】
請求項４に記載の発明は、請求項３に記載の撮像装置において、
前記遮光機構は、操作スイッチと、前記操作スイッチに接続され、且つ、前記二つの光学部材の各レンズ部を被覆自在となるように形成されるとともに、前記レンズ部の各々に対応して設けられた二つの開口部を有し移動する被覆部材とを備え、
前記被覆部材は、前記操作スイッチの操作に基づき移動して、前記二つの光学部材のうち、いずれか一方の光学部材を用いた前記被写体の撮像時に、前記一方の光学部材の前記レンズ部に対応する前記開口部を介して前記レンズ部を露出させるとともに、他方の光学部材の前記レンズ部を被覆するように構成されていることを特徴としている。
【００１４】
請求項４に記載の発明によれば、請求項３に記載の発明と同等の効果が得られるのは無論のこと、二つの光学部材のうち、いずれか一方の光学部材を用いて被写体を撮像する際に、被覆部材は、操作スイッチがユーザによって操作されることで移動して、一方の光学部材のレンズ部に対応する開口部を介してレンズ部を露出させるとともに、他方の光学部材のレンズ部を被覆して、このレンズ部に入射してくる光を遮光することができる。すなわち、被写体の撮像時に、操作スイッチのユーザによる一回の操作で、一方の光学部材のレンズ部の露出と他方の光学部材のレンズ部の遮光とを略同じタイミングで簡便に行うことができる。
【００１５】
請求項５に記載の発明は、請求項４に記載の撮像装置において、
前記遮光機構は、前記被覆部材の移動を案内する案内部材を備え、
前記被覆部材は、前記案内部材の案内経路に沿って変形自在であることを特徴としている。
【００１６】
請求項５に記載の発明によれば、請求項４に記載の発明と同等の効果が得られるのは無論のこと、被覆部材は、案内部材の案内経路に沿って変形自在であるので、例えば露出と遮光を切り換えたい光学部材のレンズ部どうしが同一平面上に設けられていない場合であっても、案内部材の案内経路に沿って被覆部材が変形しながら移動することで、二つの光学部材の各レンズ部の露出と遮光を適正に切り換えることができる。
【００１７】
請求項６に記載の発明の携帯端末は、請求項１〜５のいずれか一項に記載の撮像装置を備えることを特徴としている。
【００１８】
請求項６に記載の発明によれば、請求項１〜５のいずれか一項に記載の発明と同等の効果が得られるのは無論のこと、撮像装置の携帯端末に占める領域を小さくできるので、携帯端末を小型化でき、ユーザにとって利便性の良い携帯端末とすることができるとともに、携帯端末のコストを低減することができ、携帯端末をユーザに対して安価に提供できる。
【００１９】
【発明の実施の形態】
以下に、本発明について、図面を用いて具体的な態様を説明する。ただし、発明の範囲は、図示例に限定されない。
図１は、本発明を適用した携帯端末の一例である、撮像装置付き携帯電話機（以下、携帯電話機と略記する。）の外観構成を示す斜視図であり、図２は、図１の携帯電話機の機能的構成を示すブロック図である。
【００２０】
携帯電話機１は、図１に示すように、上筐体１０ａと、下筐体１０ｂとがヒンジ結合部１０ｃを介して連結された折り畳み式のものであり、図２に示すように、制御部１１、入力部１２、表示部１３、無線通信部１４、記憶部１５、撮像装置１６、電源制御部１７、送受話部１８等を備えて構成されている。
なお、携帯電話機１を構成する各部は、バス１９により接続されている。
【００２１】
上筐体１０ａの携帯電話機１の折り畳み時に内側になる面（以下、正面という。）には、表示画面１３ａが配設されている。また、上筐体１０ａの正面には、上筐体１０ａの内部に配設された撮像装置１６の第一光学部材（図３参照）３１の第一レンズ部３１ｂを露出させる第一開口部５１が設けられ、上筐体１０ａの携帯電話機１に正対して右側となる側面には、撮像装置１６の第二光学部材（図３参照）３２の第二レンズ部３２ｂを露出させる第二開口部５２が設けられている。さらに、上筐体１０ａの上部には、アンテナ１４ａが配設されている。
下筐体１０ｂの正面には、操作ボタンＰ、…が配設されている。
【００２２】
撮像装置１６は、被写体を撮像するためのものであり、上筐体１０ａの表示画面１３ａの下方に内蔵されており、第一及び第二光学部材３１、３２が第一及び第二開口部５１、５２を介して上筐体１０ａの正面側及び右側面側から光を取り込めるものとされている。
以下に、撮像装置１６について図３を参照してさらに詳細に説明する。
ここで、図３は、図１のＸ−Ｘ部分を示した部分断面図であり、このうち、図３（ａ）は、マクロ撮像モード（後述）における撮像装置１６の状態を示し、図３（ｂ）は、通常撮像モード（後述）における撮像装置１６の状態を示している。なお、図３における上側は図１における携帯電話機１の正面側に対応するものとする。
【００２３】
図３に示すように、撮像装置１６は、遮光性を有し断面方形状に形成された鏡枠２１と、この鏡枠２１の一面に固定された基板ＰＣの一方の面上に設けられ、光を感じるセンサとなる撮像素子２２と、撮像素子２２に集光させるための第一光学部材３１及び第二光学部材３２と、第一光学部材３１及び第二光学部材３２のうち、選択された何れか一方の光学部材を通過した光を撮像素子２２に導く導光機構４と、その他基板ＰＣに配置された電気部品等を備えている。
【００２４】
撮像素子２２は、矩形薄板状に形成された部材であり、撮像素子２２の下面を基板ＰＣの上面に当接させるようにして配設されている。
また、撮像素子２２は、例えばＣＭＯＳ型イメージセンサ、ＣＣＤ型イメージセンサ等からなり、撮像素子２２の上面中央には、画素が２次元的に配列され撮像領域としての光電変換部２２ｂが形成されている。光電変換部２２ｂの外側には、処理部（図示しない）が形成されており、処理部の外縁近傍には、複数のパッド（図示しない）が配置されている。パッドは、外部接続用端子であり、図３に示すように、ワイヤＷを介して基板ＰＣ上の所定の回路に接続されている。
なお、図示は省略するが、撮像素子２２には、所定の感色性を有するフィルタが配設されていても良く、これにより、カラー画像や白黒画像の撮像が可能とされている。
【００２５】
このように構成された撮像素子２２は、第一光学部材３１若しくは第二光学部材３２のいずれか一方により集光され入射した画像に対応する光を検出し、検出した光を電気信号に変換して、画像データを生成する。そして、撮像素子２２は、作成した画像データを所定の回路により制御部１１に出力するようになっている。
【００２６】
第一光学部材３１及び第二光学部材３２は、撮像素子２２の光電変換部２２ｂに被写体像を結像させる例えば凸レンズ形状の第一レンズ部３１ｂ及び第二レンズ部３２ｂを備えて構成されている。また、第一光学部材３１は、第一レンズ部３１ｂの中心が第一開口部５１の中心軸と同軸上に位置するように、鏡枠２１の基板ＰＣが配設された面の対向面に設けられ、第二光学部材３２は、第二レンズ部３２ｂの中心が第二開口部５２の中心軸と同軸上に位置するように、鏡枠２１の第一光学部材３１が設けられた面に略直交する面、具体的には図３における右側面に設けられている。
このように、第一光学部材３１及び第二光学部材３２は、各々のレンズ部３１ｂ、３２ｂの通過光の光軸どうしが略直交するように配置されている。
なお、各光学部材３１、３２は、透明なプラスチック材料を構成素材としている。
【００２７】
また、第一光学部材３１は通常撮像モードに対応して設けられ、第二光学部材３２はマクロ撮像モードに対応して設けられている。
ここで、通常撮像モードは、被写界深度が１メートル〜∞であり、マクロ撮像モードは、被写界深度が数センチメートル〜∞であり、通常撮像モードより焦点距離が短く、被写体までの距離が短い場合の撮像に適している。
【００２８】
なお、第一及び第二レンズ部３１ｂ、３２ｂは、互いに異なる径とされている。また、第二レンズ部３２ｂは、マクロ撮像モードにおける撮像処理に用いられるために、第一レンズ部３１ｂと異なる被写体距離にピントが合わされている。なお、第一及び第二レンズ部３１ｂ、３２ｂは、焦点距離を異ならせて画角を異ならせるように構成されても良い。さらに、第一及び第二レンズ部３１ｂ、３２ｂは、互いに異なる絞り値を有するように構成されても良い。
【００２９】
また、第一及び第二開口部５１、５２は、それぞれ第一及び第二レンズ部３１ｂ、３２ｂの径に対応して形成され、互いに異なる大きさとされている。なお、これら第一及び第二開口部５１、５２を絞りとして機能させるような構成としても良い。さらに、第一及び第二開口部５１、５２の内側に赤外線吸収特性を有する素材からなるフィルタ（図示略）を設けるような構成としても良い。
【００３０】
導光機構４は、鏡枠２１の内部の、第一及び第二レンズ部３１ｂ、３２ｂの通過光の光軸どうしが交わる位置に配設されたハーフミラー４１と、第一及び第二レンズ部３１ｂ、３２ｂに入射する光を選択的に遮光する遮光機構４２とを備えて概略構成されている。
【００３１】
ハーフミラー４１は、第一及び第二レンズ部３１ｂ、３２ｂの通過光の光軸に対して略４５度傾斜して配置されており、第一レンズ部３１ｂを通過した光を撮像素子２２に導くように当該ハーフミラー４１自身を通過させる一方で、第二レンズ部３２ｂを通過した光を撮像素子２２に導くように当該ハーフミラー４１表面にて光の入射角と略等しい角度で反射させる構成とされている。
【００３２】
このように、通常撮像モード及びマクロ撮像モードの各々に対応する第一及び光学部材３１、３２と、これら光学部材３１、３２を通過した光に基づき結像させる撮像素子２２と、撮像素子２２に光学部材３１、３２を通過した光を導くハーフミラー４１等が鏡枠２１により一体となって構成されているので、これらの部材の携帯電話機１に対する搭載を一時に容易に行うことができる。
また、例えば、落下等により携帯電話機１が衝撃を受けた場合であっても、光学部材等の精度を必要とする部品が移動部品として配設されていないことから、移動部品が位置ずれしたり壊れたりすることが防止され、携帯電話機１としての信頼性を高めることができる。
【００３３】
遮光機構４２は、例えば図３における左右方向Ａに移動自在に構成された操作スイッチ４２１と、操作スイッチ４２１の移動に連動して、第一及び第二レンズ部３１ｂ、３２ｂの各々を被覆自在となるように形成された被覆部材４２２と、被覆部材４２２の移動を案内する案内部材４２３とを備えている。
【００３４】
被覆部材４２２は、例えば、携帯電話機１の上筐体１０ａの内面に沿うように設けられた長尺なフィルム状の部材であり、少なくとも第一及び第二レンズ部３１ｂ、３２ｂに入射する光を遮光する性質を有する材料から構成されている。
また、被覆部材４２２は、第一及び第二レンズ部３１ｂ、３２ｂの各々に対応して設けられた第一開口部４ａ及び第二開口部４ｂを備えている。すなわち、被覆部材４２２には、通常撮像モードにて第一レンズ部３１ｂを露出させる第一開口部４ａと、マクロ撮像モードにて第二レンズ部３２ｂを露出させる第二開口部４ｂとが設けられている。
【００３５】
なお、第一及び第二開口部４ａ、４ｂは、第一及び第二レンズ部３１ｂ、３２ｂの絞り値（Ｆ値）を規定する絞りとして機能させても良い。ここで、第二開口部４ｂの面積は、マクロ撮像処理用となるように、通常撮像用となる第一光学部材３１に対応する第一開口部４ａの面積よりも小さく形成されている。
上記の場合には、第二レンズ部３２ｂと撮像素子２２との距離や、第二開口部４ｂの絞り値等により、例えば、被写界深度が、数センチメートル〜∞となるように構成され、マクロ撮像モード設定がされるようになっている。
なお、第二レンズ部３２ｂと撮像素子２２との距離、第二開口部４ｂの絞り値等の何れか一の要素によって、マクロ撮像モードが設定可能な構成であってもよい。
【００３６】
被覆部材４２２の第一開口部４ａが設けられた側の端部の上面には、操作スイッチ４２１がその下面を当接させるようにして設けられている。すなわち、操作スイッチ４２１は、被覆部材４２２に接続して形成されている。
操作スイッチ４２１は、例えば、操作スイッチ４２１上部が上筐体１０ａに形成された開口部５３の上端から突出するように形成された略直方体状の部材である。
【００３７】
また、操作スイッチ４２１は、操作スイッチ４２１自身の移動に伴って、第一及び第二レンズ部３１ｂ、３２ｂの各々の被覆部材４２２による被覆と露出とを切換自在に構成されている。具体的には、操作スイッチ４２１は、ユーザにより操作されて図３における右方向に移動することで被覆部材４２２を同方向に移動させ、被覆部材４２２の第一開口部４ａを介して第一レンズ部３１ｂを露出させるとともに被覆部材４２２により第二レンズ部３２ｂを被覆した状態（図３（ｂ）参照）とする一方で、図３における左方向に移動することで被覆部材４２２を同方向に移動させ、被覆部材４２２の第二開口部４ｂを介して第二レンズ部３２ｂを露出させるとともに被覆部材４２２により第一レンズ部３１ｂを被覆した状態（図３（ａ）参照）とする。
このように、遮光機構４２は、操作スイッチ４２１及び被覆部材４２２により、第一及び第二光学部材３１、３２のうち、いずれか一方の光学部材（例えば、第一光学部材３１）を用いた被写体の撮像時に、他方の光学部材（例えば、第二光学部材３２）のレンズ部（例えば、第二レンズ部３２ｂ）に入射する光を遮光することができる。すなわち、被写体の撮像時に、操作スイッチ４２１のユーザによる一回の操作で、一方の光学部材のレンズ部の露出と他方の光学部材のレンズ部の遮光とを略同じタイミングで簡便に行うことができる。
【００３８】
なお、本実施の形態では、操作スイッチ４２１の位置に連動して撮像モードが切り換えられるような構成となっており、これにより、撮像モードの切換を容易に行うことが可能となる。
また、開口部５３の大きさは、被覆部材４２２による第一及び第二レンズ部３１ｂ、３２ｂの露出と遮光とを切り換えることができる程度に操作スイッチ４２１が移動可能な大きさとされている。
【００３９】
案内部材４２３は、例えば、上筐体１０ａの一角部の内側に設けられ、被覆部材４２２を図３において左斜め下側から案内支持するローラ４２ａと、上筐体１０ａの内部に当該上筐体１０ａに対し略平行となるように配設された内側案内部材４２ｂとを備えている。
ここで、ローラ４２ａと内側案内部材４２ｂは、被覆部材４２２の案内経路を構成している。また、被覆部材４２２は、上記案内経路に沿って変形自在となる程度の可撓性を有するように構成されており、これによって、被覆部材４２２は、第一及び第二レンズ部３１ｂ、３２ｂの遮光と露出とを切り換える際に案内経路に沿って変形しながら移動するようになっている。従って、第一及び第二レンズ部３１ｂ、３２ｂの露出と遮光を適正に切り換えることができる。
【００４０】
入力部１２は、テンキー、各種機能スイッチ、通話モード、撮像スイッチ等の操作ボタンＰを備えており、撮像処理の実施指示の入力等に用いられる。
【００４１】
表示部１３は、例えばＬＣＤ（Ｌｉｑｕｉｄ  Ｃｒｙｓｔａｌ  Ｄｉｓｐｌａｙ）パネル等の表示画面１３ａを備えて構成され、制御部１１から入力される表示データに基づいて画面表示を行う。また、表示部１３は、撮像装置１６によってプレビュー撮像された画像や、制御部１１により復号（デコード）されたコード情報内容等を表示する。
【００４２】
無線通信部１４は、無線基地局（図示せず）との間で着信や発信等に係る無線信号の送受信を行うアンテナ１４ａを備え、制御部１１から入力される指示に従って、無線基地局との間で、例えば、ＩＭＴ−２０００準拠の通信方式（例えば、Ｗ−ＣＤＭＡやｃｄｍａ２０００）に対応する携帯電話用の通信プロトコルを実行し、この通信方式で設定される通信チャネルにより、送受話音声の送受信やデータ通信を実行する。
【００４３】
記憶部１５は、制御部１１により実行された処理結果のデータ等を記憶する。例えば、記憶部１５は、撮像装置１６により撮像された画像のデータ、無線通信部１４を介して送受信したメールのデータ、通話履歴のデータ等を記憶する。
【００４４】
電源制御部１７は、下筐体１０ｂの内部に設けられた例えばリチウム電池、ニッケル電池、ニカド電池等の２次電池（図示略）を備えて構成され、電源が投入されると、制御部１１の制御に応じて、プラス側の端子及びマイナス側の端子から、携帯電話機１の各部を駆動する駆動回路に所定電圧の電源を供給する。
【００４５】
送受話部１８は、マイク、スピーカ、Ａ／Ｄ変換部及びＤ／Ａ変換部（何れも図示せず）を有し、マイクから入力されるユーザの送話音声をＡ／Ｄ変換処理して、その送話音声データをＣＰＵ１１ａに出力するとともに、ＣＰＵ１１ａから入力される受話音声データや、着信音、操作確認音、シャッタ音等の音声データをＤ／Ａ変換処理して、スピーカから出力する。
【００４６】
制御部１１は、ＣＰＵ（Ｃｅｎｔｒａｌ  Ｐｒｏｃｅｓｓｉｎｇ  Ｕｎｉｔ）１１ａ、書き換え可能な半導体素子で構成されるＲＡＭ（Ｒａｎｄｏｍ  Ａｃｃｅｓｓ  Ｍｅｍｏｒｙ）１１ｂ、不揮発性の半導体メモリで構成されるＲＯＭ（Ｒｅａｄ  Ｏｎｌｙ  Ｍｅｍｏｒｙ）１１ｃ等から構成されている。
【００４７】
ＲＯＭ１１ｃには、図示しない、携帯電話機１の基本動作制御プログラム、通信処理プログラム、表示部に表示するための表示用データ、撮像に関するパラメータデータ（自動撮像用のデフォルトの設定データ、プレビュー撮像用のデフォルトの設定データ）等の他、撮像制御プログラムｃ１、コード認識プログラムｃ２、コード認識用データｃ３が記憶されている。ここで、コード認識用データｃ３は、画像データに情報コードとしての二次元コードが含まれているかを判断するためのコード類似性係数（Ｑ）を設定する際の基準データである。
【００４８】
ＣＰＵ１１ａは、入力部１２から入力される各種指示又は無線通信部１４から入力されるデータに従って、ＲＯＭ１１ｃに記憶されている各種プログラムの中から指定されたプログラムをＲＡＭ１１ｂのワークエリアに展開し、この入力指示及び入力データにより上記プログラムに従って各種処理を実行する。そして、ＣＰＵ１１ａは、その処理結果をＲＡＭ１１ｂの所定の領域に格納するとともに、表示部１３に表示させる。
【００４９】
具体的に、ＣＰＵ１１ａは、ＲＯＭ１１ｃに記憶されている撮像制御プログラムｃ１を読み出して、撮像制御処理を実行する。
撮像制御処理として、ＣＰＵ１１ａは、入力部１２から入力されるユーザの操作指示等に従って、撮像装置１６を制御して、撮像させた撮像画像データをＲＡＭ１１ｂに所定のメモリ等に格納した上で、フレームレート２５ｆｐｓ（Ｆｒａｍｅｓ  Ｐｅｒ  Ｓｅｃｏｎｄ）で、表示部１３にプレビュー表示させる処理を実行する。
また、上記プレビュー表示処理において、ＣＰＵ１１ａは、画像反転処理手段として機能し、撮像画像データに対応する画像に対して、当該画像の中心を略垂直に通る軸を中心にして画像の左右を反転させる画像反転処理を実行し、この処理を施した画像を表示部１３に表示させる。
【００５０】
さらに、ＣＰＵ１１ａは、コード認識手段として機能し、コード認識プログラムｃ２に従って、撮像画像データに対して二次元コードである可能性のある二次元コード対象を認識するコード認識処理を実行する。具体的には、コード認識処理において、ＣＰＵ１１ａは、類似性係数算出手段として機能し、撮像画像データと、類似性係数算定用情報としてのコード認識用データｃ３とを対照することにより、二次元コード対象にコード類似性係数を算出し、このコード類似性係数の値に基づいて、二次元コードである可能性のある二次元コード対象（情報コード対象）や二次元コードを認識する。
【００５１】
なお、ＣＰＵ１１ａは、撮像画像データ中に二次元コードを認識した場合には、解読手段として機能し、二次元コードのデコード処理するとともに、表示制御手段として機能し、表示画面１３ａに表示させる。
また、ＣＰＵ１１ａは、実行手段として機能し、デコード処理を行った情報コードの情報に基づく動作を実行する。
【００５２】
次に、携帯電話機１における撮像制御処理について、図４を参照して説明する。
ここで、図４は、撮像制御処理を説明するためのフローチャートである。
【００５３】
本実施の形態では、ユーザは、携帯電話機１の上筐体１０ａの右側面に形成された第二開口部５２を被写体に向けることにより、マクロ撮像モードにおいて、被写体としての例えば二次元コードのようなものを撮像することとする。なお、被写体を、二次元コードに替えて、バーコード、カラーコード等のマクロ撮像モードにおける撮像が必要な情報コードとしても良い。
【００５４】
先ず、ユーザによって操作スイッチ４２１が操作されて、操作スイッチ４２１を図３における左側に移動させて第二光学部材３２のレンズ部３２ｂを第二開口部５２から露出させる。これにより、ＣＰＵ１１ａは、マクロ撮像モードによる撮像処理の指示の入力であると判断し、ＲＯＭ１１ｃに記憶されている撮像制御プログラムｃ１を読み出してＲＡＭ１１ｂに展開し、撮像制御プログラムｃ１に従って、撮像処理の制御を開始する。
ＣＰＵ１１ａは、マクロ撮像モードによる撮像処理の開始指示を撮像装置１６に対して出力する。
【００５５】
次に、撮像装置１６は、マクロ撮像モードにおける撮像処理として、第二レンズ部３２ｂにより集光され、撮像素子２２の光電変換部２２ｂに結像された被写体の撮像画像データを順次、制御部１１に出力する（ステップＳ１）。
【００５６】
制御部１１のＣＰＵ１１ａは、撮像装置１６より出力され入力された撮像画像データを順次ＲＡＭ１１ｂに格納するとともに、前記撮像画像データに対応する画像に対して画像反転処理を施した後、処理後の画像をフレームレート２５ｆｐｓで表示画面１３ａに表示させるプレビュー表示処理を実行する（ステップＳ２）。
【００５７】
そして、ユーザにより撮像スイッチが操作されて、入力部１２から所定画像の撮像開始の指示がＣＰＵ１１ａに入力されると（ステップＳ３：Ｙｅｓ）、撮像開始の指示が入力されたタイミングにおける被写体の撮像画像データを、第二光学部材３２及び撮像素子２２を介して取得する（ステップＳ４）。このとき、被写体の撮像に使用しない第一レンズ部３１ｂに入射してくる光は、被覆部材４２２により遮光されているので、第一レンズ部３１ｂに入射してくる光の影響を受けることなく前記被写体の撮像を適正に行うことができる。
なお、取得された被写体の撮像画像データは、記憶部１５に記憶されるとともに、前記撮像画像データに対応する画像が表示画面１３ａに表示される。
【００５８】
次いで、ＣＰＵ１１ａは、ＲＯＭ１１ｃに記憶されているコード認識プログラムｃ２を読み出してＲＡＭ１１ｂに展開し、このコード認識プログラムｃ２に従って、コード認識処理の制御を開始する（ステップＳ５〜ステップＳ７）。具体的には、先ず、ＣＰＵ１１ａは、記憶部１５に記憶された被写体の撮像画像データと、コード認識用データｃ３とを比較対照することにより、二次元コードの認識処理を実行する。
ここで、認識処理の方法として、例えば、被写体の撮像画像データに二次元コードであることを示す所定の切り出しシンボルを検出することにより認識する方法、或いは、被写体の撮像画像データの濃度により認識する方法、二次元コードの所定のモザイク形状を認識する方法等があるが、これらに限定されるものではない。
【００５９】
具体的に、ＣＰＵ１１ａは、ステップＳ５において、撮像画像データと類似性係数算定情報としてのコード認識用データｃ３と比較することにより、該撮像画像データの二次元コードである可能性を判断するためのコード類似性係数（Ｑ）を算出する。
次いで、ＣＰＵ１１ａは、算出されたコード類似性係数（Ｑ）の値が、「０．５」以上であるか否かを判断し（ステップＳ６）、Ｑの値が「０．５」以上であると判断した場合（ステップＳ６：Ｙｅｓ）には、所定の二次元コードの可能性があると判断してステップＳ７に移行する。
一方、ＣＰＵ１１ａは、算出されたコード類似性係数（Ｑ）の値が「０．５」未満であると判断した場合（ステップＳ６：Ｎｏ）には、二次元コードである可能性が少ない、すなわち通常の画像であると判断してステップＳ８に移行する。
【００６０】
ステップＳ８において、ＣＰＵ１１ａは、ユーザの入力部１２の操作により、撮像処理の終了指示が入力されたか否かを判断し、入力されたと判断した場合には（ステップＳ８：Ｙｅｓ）、撮像装置１６に撮像処理の終了指示を出力することにより、本撮像制御処理を終了する。
一方、ＣＰＵ１１ａは、撮像制御処理の終了指示の入力がないと判断した場合（ステップＳ８：Ｎｏ）は、ステップＳ３に移行し、以降の工程を繰り返す。
【００６１】
ステップＳ７において、ＣＰＵ１１ａは、コード類似性係数（Ｑ）の値が、「１」であるか否かを判断し、Ｑの値が「１」であると判断した場合（ステップＳ７：Ｙｅｓ）には、二次元コードであると判断してステップＳ１０に移行する。
一方、ＣＰＵ１１ａは、コード類似性係数（Ｑ）の値が、「０．５」以上であるが「１」ではないと判断した場合（ステップＳ７：Ｎｏ）には、被写体の撮像画像データの内容が二次元コードの認識には不十分であると判断して、ステップＳ９に移行する。
【００６２】
ステップＳ９では、ＣＰＵ１１ａは、表示部１３を制御して、二次元コードの認識エラーの表示及び被写体の再撮像の要請の表示を行い、所定時間経過後、ステップＳ３に移行し、以降の工程を繰り返す。
【００６３】
ステップＳ１０において、ＣＰＵ１１ａは、認識された二次元コードのデコード処理を実行し、その二次元コードのコード情報内容を表示画面１３ａに表示させる（ステップＳ１１）。
ここで、表示画面１３ａに表示されるコード情報内容としては、例えば、ＵＲＬアドレス、電子メールアドレス等の文字情報や、任意の画像情報等である。
なお、コード情報内容としての文字情報、画像情報等の表示画面１３ａに表示可能な内容の他、例えば、コード情報内容が音声情報である場合、送受話部１８から放音処理を実行する構成であってもよい。
【００６４】
次いで、ＣＰＵ１１ａは、ユーザによる入力部１２の操作により、表示画面１３ａに表示されたコード情報内容に対する所定の処理の指示信号が入力されたか否かを判断し（ステップＳ１２）、指示信号が入力されたと判断した場合（ステップＳ１２：Ｙｅｓ）には、該指示に応じた処理を実行（ステップＳ１３）してステップＳ８に移行する。
ここで、コード情報内容に対する所定の処理とは、例えば、コード情報内容がＵＲＬアドレスである場合には、該ＵＲＬアドレスへの接続指示、コード情報内容が電子メールアドレスである場合には、該電子メールアドレス宛の電子メールの作成指示、コード情報内容が、電話番号、電子メールアドレス等である場合にはアドレス帳等への保存処理、その他、表示画面１３ａの表示画像の保存指示等であるが、これらに限定されるものではない。
このように、ユーザは、例えば、名刺や雑誌等に付けられている二次元コードを認識、解読するために面倒な設定をしなくとも通常の撮像処理の場合と同操作をすることで、自動的に二次元コードの読取、解読を行なえることとなるので、大変使い勝手が良い。
【００６５】
一方、ＣＰＵ１１ａは、ステップＳ１２において、ユーザからの指示信号の入力がないと判断した場合には（ステップＳ１２：Ｎｏ）、ステップＳ８に移行して、以降の工程を繰り返す。
【００６６】
以上のように、本実施の形態の携帯電話機１によれば、マクロ撮像モードにて被写体の撮像を行う場合に、マクロ撮像モードに対応する第二光学部材３２のレンズ部３２ｂを被覆部材４２２の第二開口部４ｂを介して露出させるとともに、通常撮像モードに対応する第一光学部材３１のレンズ部３１ｂを被覆部材４２２にて被覆して前記レンズ部３１ｂに入射してくる光を遮光することにより、第二レンズ部３２ｂを通過した光をハーフミラー４１に導き、ハーフミラー４１にて撮像素子２２に向けて反射させるようになっている。よって、被写体を通常撮像モード及びマクロ撮像モードの二つの撮像モードで撮像する撮像装置１６であっても、光学部材３１、３２二つに対して同数の撮像素子を必要とせず、第一及び第二光学部材３１、３２は一つの撮像素子２２を共有できるので、撮像装置１６を小型化することができる。従って、撮像装置１６の携帯電話機１に占める領域を小さくできるので、携帯電話機１を小型化でき、ユーザにとって利便性の良い携帯電話機１とすることができる。
また、価格の高い撮像素子の数を減少させることができるので、撮像装置１６のコストを低減でき、携帯電話機１の製造にかかるコストを低減できる。このとき、撮像装置１６に、撮像素子に比べて安価とされるハーフミラー４１を備える構成であるので、撮像素子を光学部材と同数設ける場合に比べて、携帯電話機１の製造にかかるコストの上昇を抑制することができる。このように、携帯電話機１をユーザに対して安価に提供できる。
【００６７】
なお、上記実施の形態では、操作スイッチ４２１を左側に移動させ第二光学部材３２の第二レンズ部３２ｂを露出させてマクロ撮像モードにて被写体の撮像を行う場合について例示したが、これに限られるものではなく、操作スイッチ４２１を右側に移動させ第一レンズ部３１ｂを露出させて通常撮像モードにて被写体の撮像を行うような構成であっても良い。この場合に、第一及び第二光学部材３１、３２は、第一及び第二レンズ部３１ｂ、３２ｂの通過光の光軸どうしが略直交するように配置されているので、略９０度異なる方向にある被写体の撮像を携帯電話機１の向きを変えることなく行うことができる。
【００６８】
また、上記実施の形態にあっては、例えば、操作スイッチ４２１を図３（ａ）における位置よりもさらに左側に移動可能となるように構成し、撮像装置１６を使用しないような状況において、被覆部材４２２にて第一及び第二レンズ部３１ｂ、３２ｂを両方とも被覆するようにしても良い。
【００６９】
＜変形例＞
以下に、撮像装置の変形例について、図５を参照して説明する。
ここで、図５は、撮像装置の変形例を示す部分断面図であり、図１のＸ−Ｘ部分に対応した図を示している。
図５に示すように、撮像装置１１６には、遮光機構１４２として、それぞれ別個に移動する例えば板状の第一遮光部材２ａと第二遮光部材２ｂとが設けられている。このうち、第一遮光部材２ａは、第一レンズ部３１ｂを被覆自在となるように第一レンズ部３１ｂと第一開口部５１との間にて図５における左右方向Ｂに移動自在に設けられ、第二遮光部材２ｂは、第二レンズ部３２ｂを被覆自在となるように第二レンズ部３２ｂと第二開口部５２との間にて図５における上下方向Ｃに移動自在に設けられている。
なお、第一遮光部材２ａ及び第二遮光部材２ｂの移動は、ユーザによる手動にて行われても良いし、第一及び第二遮光部材２ａ、２ｂと電気的に接続された移動制御手段（図示略）の制御下にて自動で行われても良い。
【００７０】
このような構成であっても、第一及び第二光学部材３１、３２のうち、いずれか一方の光学部材（例えば、第一光学部材３１）を用いて被写体を撮像する際に、他方の光学部材（例えば、第二光学部材３２）のレンズ部（例えば、第二レンズ部３２）に入射してくる光を遮光することができ、他方の光学部材に入射してくる光の影響を受けることなく被写体の撮像を適正に行うことができる。
【００７１】
なお、本発明は、上記実施の形態に限定されることなく、本発明の趣旨を逸脱しない範囲において、種々の改良並びに設計の変更を行っても良い。
例えば、上記実施の形態では、撮像装置１６は、通常撮像モードとマクロ撮像モードとを備える構成としたが、撮像モードの個数は複数であれば適宜任意に変更可能であり、例えば３つ以上の撮像モードを備える構成であっても良い。なお、この場合には、各撮像モードに対応するように光学部材が設けられる構成となる。
【００７２】
また、上記実施の形態では、導光機構４としてハーフミラー４１を備える構成を例示したが、これに限られるものではなく、少なくとも第一及び第二光学部材３１、３２のうち選択された何れか一方の光学部材を通過した光を撮像素子２２に導くことが可能であれば如何なるものであっても良い。
【００７３】
さらに、上記実施の形態では、被覆部材４２２としてフィルム状の部材を例示したが、これに限られるものではなく、第一及び第二レンズ部３１ｂ、３２ｂを被覆して第一及び第二レンズ部３１ｂ、３２ｂに入射する光を遮光可能な部材であれば如何なるものであっても良い。
【００７４】
また、上記実施の形態では、操作スイッチ４２１の位置に伴って撮像モードを切り換えるような構成としたが、これに限られるものではなく、マクロ撮像モードと通常撮像モードとの切換は、例えば操作スイッチ４２１とは別に、マクロ撮像モードと通常撮像モードとを切り換えるための撮像モード切換キーを配して、このキーがユーザにより操作されることにより行われても良いし、被写界距離に基づいて、撮像モードの切換が自動的に行われるようにしても良い。
【００７５】
さらに、上述の撮像制御処理において、二次元コードをデコードすると、そのコード情報内容を表示画面１３ａに表示させた上で、ユーザによる所定の処理の指示に基づいて、二次元コードの情報内容に応じた各種処理を実行する構成で説明を行ったが、ＣＰＵ１１ａにより、コード情報内容が解読されると自動的に所定の処理を実行する構成であってもよい。
【００７６】
また、上記実施の形態では、撮像制御処理におけるコード認識処理において、ＣＰＵ１１ａは、コード類似性係数（Ｑ）の値に基づきステップＳ６及びステップＳ７の２段階の判断処理に基づき、その後の制御処理を選択するようにしたが、これに限られるものではなく、例えば、コード類似性係数（Ｑ）の値が、「０．５」以上であるのか否かの判断処理（ステップＳ６）を行わずに、「１」であるか否かの判断処理（ステップＳ７）のみを行って、その後の制御処理を選択するようにしても良い。
【００７７】
さらに、上記実施の形態では、携帯端末として携帯電話機１を例示したが、これに限られるものではなく、例えばＰＤＡ（Ｐｅｒｓｏｎａｌ  Ｄｉｇｉｔａｌ  Ａｓｓｉｓｔａｎｔ）等であっても良い。また、携帯電話機１の撮像装置１６（１１６）が搭載される場所は、任意であり、携帯電話機１の如何なる場所であっても良い。
【００７８】
【発明の効果】
請求項１に記載の発明によれば、被写体を少なくとも二つの撮像モードで撮像する撮像装置であっても、光学部材二つに対して同数の撮像素子を必要とせず、二つの光学部材は一つの撮像素子を共有できるので、撮像装置を小型化することができる。
また、価格の高い撮像素子の数を減少させることができるので、撮像装置のコストを低減することができる。
【００７９】
請求項２に記載の発明によれば、ハーフミラーは、撮像素子に比べて安価とされるため、撮像素子を光学部材と同数設ける場合に比べて、撮像装置の製造にかかるコストの上昇を抑制することができる。さらに、略９０度異なる方向にある被写体の撮像を撮像装置の向きを変えることなく行うことができる。
【００８０】
請求項３に記載の発明によれば、被写体の撮像に使用しない光学部材に入射してくる光を遮光して、この光の影響を受けることなく被写体の撮像を適正に行うことができる。
【００８１】
請求項４に記載の発明によれば、被写体の撮像時に、操作スイッチのユーザによる一回の操作で、一方の光学部材のレンズ部の露出と他方の光学部材のレンズ部の遮光とを略同じタイミングで簡便に行うことができる。
【００８２】
請求項５に記載の発明によれば、案内部材の案内経路に沿って被覆部材が変形しながら移動することで、二つの光学部材の各レンズ部の露出と遮光を適正に切り換えることができる。
【００８３】
請求項６に記載の発明によれば、撮像装置の携帯端末に占める領域を小さくできるので、携帯端末を小型化でき、ユーザにとって利便性の良い携帯端末とすることができるとともに、携帯端末のコストを低減することができ、携帯端末をユーザに対して安価に提供できる。
【図面の簡単な説明】
【図１】本発明が適用された携帯端末の一実施の形態として例示する折り畳み式の携帯電話機を示す斜視図である。
【図２】図１の携帯電話機の要部構成を示す機能ブロック図である。
【図３】図１のＸ−Ｘ部分を示した部分断面図である。
【図４】図１の携帯電話機による撮像制御処理を説明するためのフローチャートである。
【図５】撮像装置の変形例を示す部分断面図である。
【符号の説明】
１        携帯電話機（携帯端末）
１６、１１６  撮像装置
２２      撮像素子
３１      第一光学部材（光学部材）
３２      第二光学部材（光学部材）
３１ｂ    第一レンズ部（レンズ部）
３２ｂ    第二レンズ部（レンズ部）
４        導光機構
４１      ハーフミラー
４２、１４２  遮光機構
４２１    操作スイッチ
４２２    被覆部材
４ａ      第一開口部（開口部）
４ｂ      第二開口部（開口部）
４２３    案内部材
２ａ      第一遮光部材（遮光機構）
２ｂ      第二遮光部材（遮光機構）
ＰＣ      基板
【図１】
2004279505.tif 000003
【図２】
2004279505.tif 000004
【図３】
2004279505.tif 000005
【図４】
2004279505.tif 000006
【図５】
2004279505.tif 000007